(57)【要約】【課題】第１基板を有する第１の筐体と、第２基板を有する第２の筐体とを備えた通信機器において、両基板間のグランド電位差をなくして操作誤差が少なく、かつ組立性のよいものとする。【解決手段】信号線１０を、導体を絶縁体で覆った複数の細い電線で構成し、その端部を除く中間部で一本に束ねる。この束ねられた状態で、その外周を複数の導線をメッシュ状に編んだグランド線１６で覆う。このグランド線１６の各端部を第１基板と第２基板とにそれぞれ接続し、信号線１０の各コネクタ１２，１３を第１基板と第２基板とに接続する。【選択図】図５
2006222735.tif 000002
【特許請求の範囲】
【請求項１】
第１基板を有する第１の筐体と、第２基板を有する第２の筐体とを備えた通信機器において、
上記第１基板と第２基板とは、伝導性のある導体を絶縁体で覆った複数の細い電線で構成された信号線で接続されており、
上記信号線は、その両端部を除く中間部で上記複数の細い電線が一本に束ねられ、該束ねられた状態で、その外周が、複数の導線をメッシュ状に編んだグランド線で覆われ、
上記グランド線の各端部は、第１基板と第２基板とにそれぞれ接続されていることを特徴とする通信機器。
【請求項２】
請求項１に記載の通信機器において、
上記グランド線を構成する各導線は、樹脂製の糸を銅箔で覆ったものよりなることを特徴とする通信機器。
【請求項３】
請求項１又は２に記載の通信機器において、
上記第１の筐体と第２の筐体とは、ヒンジ部によって、その開閉軸を中心に折畳み開閉自在に連結され、
上記開閉軸の軸方向中心には、貫通孔が設けられ、
上記グランド線で覆われた信号線は、上記開閉軸の貫通孔内を通過していることを特徴とする通信機器。
【請求項４】
請求項３に記載の通信機器において、
上記第１の筐体は、ヒンジ部側のベース部と、該ベース部に上記開閉軸の軸方向に対して垂直に延びるヒンジ部の回転軸を中心に表裏反転自在に支持された液晶表示部とを備え、
上記回転軸の中心には、貫通孔が設けられ、
上記液晶表示部に上記第１基板が設けられ、
上記グランド線で覆われた信号線は、上記ベース部の回転軸の貫通孔内を通過していることを特徴とする通信機器。
【請求項５】
請求項３又は４に記載の通信機器において、
上記ヒンジ部は金属製のもので、
上記第１基板及び第２基板は、それぞれ上記ヒンジ部に当接して導通状態にあり、
上記信号線のグランド線は、上記ヒンジ部と当接している部分で導通状態にあることを特徴とする通信機器。
【請求項６】
請求項３乃至５のいずれか１つに記載の通信機器において、
上記信号線の所定箇所は、目印テープによってグランド線の外側から覆われ、
上記目印テープは、上記信号線を上記ヒンジ部を通して第１基板及び第２基板に接続する際の目印となることを特徴とする通信機器。
【発明の詳細な説明】
【技術分野】
【０００１】
本発明は、第１基板を有する第１の筐体と、第２基板を有する第２の筐体とを備えた通信機器に関するものである。
【背景技術】
【０００２】
従来より、例えば、特許文献１に見られるように、第１基板を有する第１の筐体と、第２基板を有する第２の筐体との間をフレキシブル基板によって電気的に接続し、折畳み開閉自在に構成された通信機器は知られている。
【特許文献１】国際公開第０２／００３６６５号パンフレット
【発明の開示】
【発明が解決しようとする課題】
【０００３】
しかし、近年、通信機器のニーズは幅広くなり、第１の筐体に設けた液晶表示部を回転させて表裏反転可能としたり、その縦長状態と横長状態とを切り換え自在にしたりするニーズが出てきている。このような場合、上記特許文献１のようなフレキシブル基板によって信号線を構成すると、柔軟性に欠き、液晶表示部の動きに十分に対応できないという問題がある。
【０００４】
一方、上記第１基板と第２基板とをグランド線でつないで両基板間のグランド電位差をなくし、通信機器の作動誤差をなくしたいというニーズがある。このような場合、グランド電位差をなくすためには、単に信号を送受信する電線よりも多くの伝導容量を有するグランド線を設ける必要がある。柔軟性を高めるために、上記特許文献１のようなフレキシブル基板ではなく、複数の細い電線で信号線を構成しようとすると、グランド電位差をなくすための伝導容量を確保するために信号線が太くなって、その第１及び第２の筐体内での配線が困難となると共に、その動きが悪くなるので、通信機器の折畳み動作などがスムーズにいかないという問題がある。
【０００５】
本発明は、かかる点に鑑みてなされたものであり、その目的とするところは、第１基板と第２基板とを接続する信号線の構成を工夫することにより、両基板間のグランド電位差をなくして操作誤差を少なくしながら、組立性のよい通信機器を得ることにある。
【課題を解決するための手段】
【０００６】
上記の目的を達成するために、この発明では、複数の細い電線で構成された信号線を束ね、その外周を複数の導線をメッシュ状に編んだグランド線で覆うようにした。
【０００７】
具体的には、第１の発明では、第１基板を有する第１の筐体と、第２基板を有する第２の筐体とを備えた通信機器を対象とし、この通信機器の第１基板と第２基板とは、導体を絶縁体で覆った複数の細い電線で構成された信号線で接続されており、上記信号線は、その両端部を除く中間部で上記複数の細い電線が一本に束ねられ、該束ねられた状態で、その外周が、伝導性のある複数の導線をメッシュ状に編んだグランド線で覆われ、上記グランド線の各端部は、第１基板と第２基板とにそれぞれ接続されている。
【０００８】
上記の構成によると、第１基板と第２基板との間の信号は、導体を絶縁体で覆った複数の細い電線で送受信される。また、メッシュ状に編んだグランド線によって、第１基板と第２基板との間のグランド電位差をなくすための十分な容量が実現される。さらに、端部を除く中間部で一本に束ねられた信号線を、複数の導線をメッシュ状に編んだグランド線で覆っているので、その外径は最小限に保たれ、柔軟性も備えている。
【０００９】
第２の発明では、上記グランド線を構成する各導線は、樹脂製の糸を銅箔で覆ったものよりなる。
【００１０】
上記の構成によると、伝導性が高く、かつ柔軟性のあるグランド線が得られる。
【００１１】
第３の発明では、上記第１の筐体と第２の筐体とは、ヒンジ部によって、その開閉軸を中心に折畳み開閉自在に連結され、この開閉軸の軸方向中心には、貫通孔が設けられ、上記グランド線で覆われた信号線は、この開閉軸の貫通孔内を通過している。
【００１２】
上記の構成によると、グランド線で覆われた信号線は、折畳み開閉動作時に最も動きの少ない開閉軸の貫通孔内を通過しているので、グランド線がねじれたり、摩耗したりするのが防止される。
【００１３】
第４の発明では、上記第１の筐体は、ヒンジ部側のベース部と、該ベース部に上記開閉軸の軸方向に対して垂直に延びるヒンジ部の回転軸を中心に表裏反転自在に支持された液晶表示部とを備え、上記回転軸の中心には、貫通孔が設けられ、上記液晶表示部に上記第１基板が設けられ、上記グランド線で覆われた信号線は、上記ベース部の回転軸の貫通孔内を通過している。
【００１４】
上記の構成によると、第１の筐体に表裏反転可能な液晶表示部を設けた場合でも、信号線は、ヒンジ部の回転軸の貫通孔内を通過しているので、液晶表示部の表裏反転時にもグランド線がねじれたり、摩耗したりするのが防止される。
【００１５】
第５の発明では、上記ヒンジ部は金属製のもので、上記第１基板及び第２基板は、それぞれ上記ヒンジ部に当接して導通状態にあり、上記信号線のグランド線は、上記ヒンジ部と当接している部分で導通状態にある構成とする。
【００１６】
上記の構成によると、信号線のグランド線が第１基板及び第２基板に導通しているヒンジ部に導通するので、グランド電位差がより安定する。
【００１７】
第６の発明では、上記信号線の所定箇所は、目印テープによってグランド線の外側から覆われ、上記目印テープは、上記信号線を上記ヒンジ部を通して第１基板及び第２基板に接続する際の目印となる構成とする。
【００１８】
上記の構成によると、テープを目印としてグランド線に覆われた信号線がヒンジ部を通して所定の位置に配置されて第１基板及び第２基板に接続される。また、このテープにより、複数の導線をメッシュ状に編んだグランド線が解け難くなる。さらに、貫通孔に対応する位置に目印テープを貼れば、グランド線の摩耗が防止される。
【発明の効果】
【００１９】
以上説明したように、上記第１の発明によれば、上記第１基板と第２基板とを接続する複数の細い電線からなる信号線の中間部を一本に束ね、その外周を、複数の導線をメッシュ状に編んだグランド線で覆い、その各端部を第１基板と第２基板とにそれぞれ接続している。このため、伝導容量の大きなグランド線によって第１基板と第２基板との間のグランド電位差をなくして信号の送信誤差を防ぐことができると共に、信号線の柔軟性が高められ、配線が極めて容易となる。
【００２０】
上記第２の発明によれば、樹脂製の糸を銅箔で覆った導線でグランド線を構成している。このため、グランド線の伝導性と柔軟性を高くすることができるので、さらに、誤動作がなく、組み立て易い通信機器が得られる。
【００２１】
上記第３の発明によれば、第１の筐体と第２の筐体とをヒンジ部によって、その開閉軸を中心に折畳み開閉自在に連結し、折畳み動作時に最も動きの少ない開閉軸の貫通孔にグランド線で覆われた信号線を通過させている。このため、グランド線がねじれたり、摩耗したりするのが防がれると共に、折畳み動作時に信号線が邪魔になったり、導線が切断されたりするのを防ぐことができる。
【００２２】
上記第４の発明によれば、第１の筐体の液晶表示部を表裏反転自在に支持し、その回転軸の貫通孔にグランド線で覆われた信号線を通過させている。このため、表裏反転時にもグランド線がねじれたり、摩耗したりするのが防がれるので、表裏反転時に信号線が邪魔になったり、導線が切断されたりするのを防ぐことができる。
【００２３】
上記第５の発明によれば、信号線のグランド線を第１基板及び第２基板に導通しているヒンジ部に当接させ、グランド電位差をより安定させている。このため、通信機器の差動誤差をより効果的に防止することができる。
【００２４】
上記第６の発明によれば、信号線の所定箇所は、グランド線の外側から目印となるテープによって覆われ、このテープを目印として第１基板及び第２基板に信号線が接続される。このため、グランド線が解け難くなるとともに、配線が極めて容易となる。
【発明を実施するための最良の形態】
【００２５】
以下、本発明の実施形態を図面に基づいて説明する。
【００２６】
図１に示すように、本実施形態の通信機器としての携帯電話１は、第１基板２を有する第１の筐体３と、第２基板４を有する第２の筐体５とを備えている。第１の筐体３と第２の筐体５とは、ヒンジ部６によって折畳み開閉自在に連結されている。
【００２７】
図２にも示すように、上記ヒンジ部６は、金属製の部材を組み合わせた堅固な構造を有している。このヒンジ部６は、第１の筐体３側の第１ヒンジ部６ａと、第２の筐体５側の第２ヒンジ部６ｂとからなる。第１ヒンジ部６ａと第２ヒンジ部６ｂとが水平な開閉軸Ｘを中心に折畳み開閉自在に構成されている。この開閉軸Ｘの軸方向中心には、水平貫通孔６ｃが設けられている。上記第１ヒンジ部６ａは、開閉軸Ｘ側の第１ヒンジ部本体６ｄと、この開閉軸Ｘの軸方向に対して垂直に延びる回転軸Ｙを有し、この回転軸Ｙを中心に回転可能に支持された液晶側ヒンジ部６ｅとを備えている。この回転軸Ｙの中心には、垂直貫通孔６ｆが設けられている。
【００２８】
上記第１の筐体３には、ヒンジ部６側のベース部３ａと、このベース部３ａに対し、上記回転軸Ｙを中心に表裏反転自在に支持された液晶表示部７とが設けられている。すなわち、第１の筐体３のベース部３ａに、上記第１ヒンジ部本体６ｄが内蔵され、液晶表示部７に、上記液晶側ヒンジ部６ｅが内蔵されている。上記液晶表示部７には、矩形状の液晶ディスプレイ７ａが設けられている。図４に示すように、この液晶ディスプレイ７ａの背面に第１基板２が設けられている。
【００２９】
上記第２の筐体５には、複数の操作キー８を有する操作部９が設けられている。この操作キー８を操作することで、携帯電話１の多数の機能が利用されるようになっている。図２及び図３に示すように、この操作キー８の背面側に第２基板４が設けられている。
【００３０】
上記第１の筐体３の第１基板２と第２の筐体５の第２基板４とは、複数の細い電線１１で構成された信号線１０（図５に示す）で接続されている。各電線１１は、例えば、図６に拡大して示すように、銀メッキ銅合金線よりなる導体１１ａと、この導体１１ａを覆う絶縁体１１ｂと、この絶縁体１１ｂを覆う錫メッキ銅合金線よりなる遮蔽層１１ｃと、この遮蔽層１１ｃを覆う外被層１１ｄとからなる。
【００３１】
図７に示すように、各電線１１の各端部は、第１の筐体３側の第１コネクタ１２と、第２の筐体５側の第２コネクタ１３とに接続されている。図８に示すように、この信号線１０は、第１コネクタ１２及び第２コネクタ１３周辺を除く中間部で複数の細い電線１１が一本に束ねられ、この束ねられた状態で、その外周を樹脂製の固定用テープ１５で覆われている。
【００３２】
上記信号線１０は、上記固定用テープ１５の外周から、複数の導線をメッシュ状に編んだグランド線１６で覆われている。このグランド線１６は、図９に示すように、信号線１０の第２コネクタ１３側となる部分に、グランド端子１７が接続されている。また、図１０に示すように、反対側の信号線１０の第１コネクタ１２側となる部分に、各導線が解けないようにかしめられたかしめ部１８が設けられている。グランド線１６を構成する導線は、図示しないが、例えば、中心の太さ５０デニールのポリエステル糸と、その外周を覆った銅箔とで構成されている。この構成により、導電性を備えた柔軟性のあるグランド線１６が形成されている。図３に示すように、上記グランド線１６のグランド端子１７は、第２基板４にビスなど（図示せず）で接続されている。図４に示すように、かしめ部１８側は、第１基板２の露出部２ａに圧接されるようにして接続されるようになっている。
【００３３】
図５に示すように、上記信号線１０の所定箇所は、該信号線１０を第１の筐体３、第２の筐体５及びヒンジ部６に組み付ける際の目印となる樹脂製の目印テープ２０によってグランド線１６の外側から覆われている。すなわち、この目印テープ２０は、例えば、グランド線１６の６ヶ所に所定の長さのものが裏面に付着させた接着剤によって貼り付けられている。具体的には、図１１に示すように、第１目印テープ２０ａは、グランド線１６の第１の筐体３側の端部から所定の距離離れた位置に貼り付けられ、この部分が上記ベース部３ａの垂直貫通孔６ｆ内に配置されるようになっている。第３目印テープ２０ｃは、上記ヒンジ部６の水平貫通孔６ｃ内に相当する位置に貼り付けられている。第２目印テープ２０ｂは、第１目印テープ２０ａと第３目印テープ２０ｃとの間に貼り付けられ、第４目印テープ２０ｄは、第３目印テープ２０ｃとグランド端子１７との間に貼り付けられている。グランド線１６の両端部も目印テープ２０ｅによって覆われ、導線がほどけないようになっている。
【００３４】
−信号線の組み付け方法−
次に、本実施形態にかかる携帯電話の信号線１０の組み付け方法について説明する。
【００３５】
まず、図５に示すように成形された上記信号線１０を用意する。
【００３６】
次いで、図１２に示すように、信号線１０の第１コネクタ１２をコネクタカバー２１によって覆う。このコネクタカバー２１により、グランド線１６が解けるのを防止しながら、第１コネクタ１２に信号の送受信に悪影響を与える各貫通孔６ｃ，６ｆ周辺のオイルが付くのが防止される。
【００３７】
次に、コネクタカバー２１の先端を、ヒンジ部６の水平貫通孔６ｃ内に挿通させる。この際、第１コネクタ１２の後端部を押しながら、グランド線１６のたわみに注意して円弧状に動かしながら通す。
【００３８】
次いで、コネクタカバー２１の先端をベース部３ａの垂直貫通孔６ｆの下側から挿通させる。
【００３９】
次いで、図１１に示すように、信号線１０の各目印テープ２０ａ〜２０ｄが所定の位置に来るように、信号線１０を引っ張り、固定する。
【００４０】
次いで、信号線１０の第２コネクタ１３を第２基板４に接続し、グランド線１６のグランド端子１７を第２基板４に接続する。
【００４１】
最後に、図１３に示すように、コネクタカバー２１を外し、信号線１０のかしめ部１８が上側となるようにして、第１コネクタ１２を第１基板２側に接続し、グランド線１６を第１基板２の露出部２ａに当接させる。このとき、グランド線１６のかしめ部１８が上側（ヒンジ部６と反対側）にくるように配置する。
【００４２】
−実施形態の効果−
したがって、本実施形態にかかる携帯電話１によると、上記第１基板２と第２基板４とを接続する複数の細い電線１１からなる信号線１０の中間部を一本に束ね、その外周を、複数の導線をメッシュ状に編んだグランド線１６で覆い、その各端部を第１基板２と第２基板４とにそれぞれ接続している。このため、伝導容量の大きなグランド線１６によって第１基板２と第２基板４との間のグランド電位差をなくして信号の送信誤差を防ぐことができると共に、信号線１０の柔軟性が高められ、配線が極めて容易となる。
【００４３】
上記実施形態によれば、樹脂製の糸を銅箔で覆った導線でグランド線１６を構成している。このため、グランド線１６の伝導性と柔軟性を高くすることができるので、さらに、誤動作がなく、組み立て易い携帯電話１が得られる。
【００４４】
上記実施形態によれば、第１の筐体３と第２の筐体５とをヒンジ部６によって、その開閉軸Ｘを中心に折畳み開閉自在に連結し、折畳み動作時に最も動きの少ない水平貫通孔６ｃにグランド線１６で覆われた信号線１０を通過させている。このため、グランド線１６がねじれたり、摩耗したりするのが防がれると共に、折畳み動作時に信号線１０が邪魔になったり、導線が切断されたりするのを防ぐことができる。
【００４５】
上記実施形態によれば、第１の筐体３の液晶表示部を表裏反転自在に支持し、その回転軸の貫通孔にグランド線１６で覆われた信号線１０を通過させている。このため、表裏反転時にもグランド線１６がねじれたり、摩耗したりするのが防がれるので、表裏反転時に信号線１０が邪魔になったり、導線が切断されたりするのを防ぐことができる。
【００４６】
上記実施形態によれば、信号線１０のグランド線１６を第１基板２及び第２基板４に導通しているヒンジ部６に当接させ、グランド電位差をより安定させている。このため、携帯電話１の差動誤差をより効果的に防止することができる。
【００４７】
上記実施形態によれば、信号線１０の所定箇所は、グランド線１６の外側から目印となるテープによって覆われ、このテープを目印として第１基板２及び第２基板４に信号線１０が接続される。このため、グランド線１６が解け難くなるとともに、配線が極めて容易となる。
【００４８】
（その他の実施形態）
本発明は、上記実施形態について、以下のような構成としてもよい。
【００４９】
すなわち、上記実施形態では、折畳み開閉自在な携帯電話１を対象としてるが、折畳みできない携帯電話にも適用できる。また、液晶表示部７を表裏反転可能に第１の筐体３のベース部３ａに支持させているが、このような機構を備えていなくてもよい。そのような場合でも、本発明の信号線１０の適用は可能である。
【００５０】
なお、以上の実施形態は、本質的に好ましい例示であって、本発明、その適用物や用途の範囲を制限することを意図するものではない。
【産業上の利用可能性】
【００５１】
以上説明したように、本発明は、第１基板を有する第１の筐体と、第２基板を有する第２の筐体とを備え、第１基板と第２基板との間のグランド電位差をなくすようにした通信機器について有用である。
【図面の簡単な説明】
【００５２】
【図１】本実施形態にかかる携帯電話の全体を示す斜視図である。
【図２】第２基板、ヒンジ部及び信号線を示す分解斜視図である。
【図３】信号線が接続された第２基板及びヒンジ部を示す斜視図である。
【図４】信号線が接続された第１基板を示す平面図である。
【図５】信号線を示す平面図である。
【図６】信号線の電線を示す拡大断面図である。
【図７】信号線のコネクタ及び電線を示す平面図である。
【図８】信号線の電線を固定用テープで覆ったものを示す平面図である。
【図９】グランド線を示す平面図である。
【図１０】図５のＸ−Ｘ線断面図である。
【図１１】信号線の組み付け状態を説明する平面図である。
【図１２】信号線をヒンジ部に通す様子を示す斜視図である。
【図１３】第１コネクタ及びその周辺の拡大図である。
【符号の説明】
【００５３】
１      携帯電話（通信機器）
２      第１基板
３      第１の筐体
３ａ    ベース部
４      第２基板
５      第２の筐体
６      ヒンジ部
６ｃ    水平貫通孔
６ｆ    垂直貫通孔
７      液晶表示部
１０      信号線
１１      電線
１１ａ    導体
１１ｂ    絶縁体
１６      グランド線
２０ａ    第１目印テープ
２０ｂ    第２目印テープ
２０ｃ    第３目印テープ
２０ｄ    第４目印テープ
Ｘ        開閉軸
Ｙ        垂直軸
【図１】
2006222735.tif 000003
【図２】
2006222735.tif 000004
【図３】
2006222735.tif 000005
【図４】
2006222735.tif 000006
【図５】
2006222735.tif 000007
【図６】
2006222735.tif 000008
【図７】
2006222735.tif 000009
【図８】
2006222735.tif 000010
【図９】
2006222735.tif 000011
【図１０】
2006222735.tif 000012
【図１１】
2006222735.tif 000013
【図１２】
2006222735.tif 000014
【図１３】
2006222735.tif 000015